【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
第１の軸周りに揺動可能な可動部と、
前記第１の軸に交差する第２の軸周りに揺動可能な枠体部と、
前記可動部を前記枠体部に対して前記第１の軸周りに揺動可能に支持する第１軸部と、を含み、
前記可動部に設けられ、かつ光を反射する光反射板を有し、
前記枠体部は、前記可動部を囲んで設けられ、
前記第１軸部は、一端部が前記可動部に接続され、他端部が前記枠体部に接続され、
前記光反射板は、前記第１軸部に対して前記光反射板の板厚方向に離間し、前記板厚方向からみたときに前記第１軸部の少なくとも一部と重なって設けられていることを特徴とする光学デバイス。
【請求項２】
前記光反射板は、前記板厚方向からみたときに、前記第１軸部の全体を覆って形成されている請求項１に記載の光学デバイス。
【請求項３】
前記光反射板は、前記板厚方向からみたときに、前記枠体部の全体を覆って形成されている請求項２に記載の光学デバイス。
【請求項４】
前記枠体部に接続され、かつ前記枠体部を前記第２の軸周りに揺動可能に支持する第２軸部をさらに有し、
前記光反射板は、前記板厚方向からみたときに、前記第２軸部の全体を覆って形成されている請求項３に記載の光学デバイス。
【請求項５】
前記光反射板は、前記板厚方向からみたときに、前記第１の軸および前記第２の軸のうちの少なくとも一方の軸に沿った方向に突出した部分を有する形状をなす請求項２ないし４のいずれかに記載の光学デバイス。
【請求項６】
前記光反射板と前記可動部との間に前記光反射板と前記可動部とを離間させるスペーサーを有している請求項１ないし５のいずれかに記載の光学デバイス。
【請求項７】
前記光反射板の前記可動部側の面の少なくとも一部には、前記光反射板の材料よりも硬い材料で構成される硬質層が形成されている請求項１ないし６のいずれかに記載の光学デバイス。
【請求項８】
前記枠体部に配置された永久磁石と、
前記枠体部に対向して配置されたコイルと、
前記コイルに電圧を印加する電圧印加部とを備え、
前記電圧印加部が前記コイルに電圧を印加することにより、前記可動部を前記第１の軸周りおよび前記第２の軸周りに揺動させる請求項１ないし７のいずれかに記載の光学デバイス。
【請求項９】
前記枠体部に配置されたコイルと、
前記枠体部に対向して配置された永久磁石と、
前記コイルに電圧を印加する電圧印加部とを備え、
前記電圧印加部が前記コイルに電圧を印加することにより、前記可動部を前記第１の軸周りおよび前記第２の軸周りに揺動させる請求項１ないし７のいずれかに記載の光学デバイス。
【請求項１０】
前記第２軸部に設けられた圧電素子と、
前記圧電素子に電圧を印加する電圧印加部とを備え、
前記電圧印加部が前記圧電素子に電圧を印加することにより、前記可動部を前記第１の軸周りおよび前記第２の軸周りに揺動させる請求項１ないし７のいずれかに記載の光学デバイス。
【請求項１１】
前記電圧印加部は、
第１周波数の第１の電圧を発生させる第１電圧発生部と、
前記第１周波数と周波数の異なる第２周波数の第２の電圧を発生させる第２電圧発生部と、
前記第１の電圧と前記第２の電圧とを重畳する電圧重畳部とを有し、
前記可動部を、前記第１周波数で前記第１の軸周りに揺動させるとともに、前記第２周波数で前記第２の軸周りに揺動させる請求項８ないし１０のいずれかに記載の光学デバイス。
【請求項１２】
前記第１の軸に沿った方向における前記枠体部の長さをａとし、前記第２の軸に沿った方向における前記枠体部の長さをｂとしたとき、ａ＞ｂなる関係を満たす請求項１ないし１１のいずれかに記載の光学デバイス。
【請求項１３】
第１の軸周りに揺動可能な可動部と、前記第１の軸に交差する第２の軸周りに揺動可能な枠体部と、前記可動部を前記枠体部に対して前記第１の軸周りに揺動可能に支持する第１軸部と、を含む光スキャナーであって、
前記可動部に設けられ、かつ光を反射する光反射板を有し、
前記枠体部は、前記可動部を囲んで設けられ、
前記第１軸部は、一端部が前記可動部に接続され、他端部が前記枠体部に接続され、
前記光反射板は、前記第１軸部に対して板厚方向に離間し、板厚方向からみたときに前記第１軸部の少なくとも一部と重なって設けられていることを特徴とする光スキャナー。
【請求項１４】
第１の軸周りに揺動可能な可動部と、前記第１の軸に交差する第２の軸周りに揺動可能な枠体部と、前記可動部を前記枠体部に対して前記第１の軸周りに揺動可能に支持する第１軸部と、を含む光スキャナーを備える画像形成装置であって、
前記光スキャナーは、
前記可動部に設けられ、かつ光を反射する光反射板を含み、
前記枠体部は、前記可動部を囲んで設けられ、
前記第１軸部は、一端部が前記可動部に接続され、他端部が前記枠体部に接続され、
前記光反射板は、前記第１軸部に対して前記光反射板の板厚方向に離間し、前記板厚方向からみたときに前記第１軸部の少なくとも一部と重なって設けられていることを特徴とする画像表示装置。
【手続補正２】
【補正対象書類名】明細書
【補正対象項目名】０００７
【補正方法】変更
【補正の内容】
【０００７】
このような目的は、下記の本発明により達成される。
本発明の光学デバイスは、第１の軸周りに揺動可能な可動部と、
前記第１の軸に交差する第２の軸周りに揺動可能な枠体部と、
前記可動部を前記枠体部に対して前記第１の軸周りに揺動可能に支持する第１軸部と、を含み、
前記可動部に設けられ、かつ光を反射する光反射板を有し、
前記枠体部は、前記可動部を囲んで設けられ、
前記第１軸部は、一端部が前記可動部に接続され、他端部が前記枠体部に接続され、
前記光反射板は、前記第１軸部に対して前記光反射板の板厚方向に離間し、前記板厚方向からみたときに前記第１軸部の少なくとも一部と重なって設けられていることを特徴とする。
【手続補正３】
【補正対象書類名】明細書
【補正対象項目名】００１２
【補正方法】変更
【補正の内容】
【００１２】
本発明の光学デバイスでは、前記光反射板と前記可動部との間に前記光反射板と前記可動部とを離間させるスペーサーを有していることが好ましい。
これにより、第１軸部、枠体部および第２軸部との接触を防止しつつ、光反射板を揺動させることができる。
本発明の光学デバイスでは、前記光反射板の前記可動部側の面の少なくとも一部には、前記光反射板の材料よりも硬い材料で構成される硬質層が形成されていることが好ましい。
これにより、光反射板の剛性を高め、光反射板の撓みを抑制することができる。
【手続補正４】
【補正対象書類名】明細書
【補正対象項目名】００１８
【補正方法】変更
【補正の内容】
【００１８】
本発明の光スキャナーは、第１の軸周りに揺動可能な可動部と、前記第１の軸に交差する第２の軸周りに揺動可能な枠体部と、前記可動部を前記枠体部に対して前記第１の軸周りに揺動可能に支持する第１軸部と、を含む光スキャナーであって、
前記可動部に設けられ、かつ光を反射する光反射板を有し、
前記枠体部は、前記可動部を囲んで設けられ、
前記第１軸部は、一端部が前記可動部に接続され、他端部が前記枠体部に接続され、
前記光反射板は、前記第１軸部に対して板厚方向に離間し、板厚方向からみたときに前記第１軸部の少なくとも一部と重なって設けられていることを特徴とする。
このように構成された光スキャナーによれば、小型化を図りつつ、２次元的に光を走査することができる。
【手続補正５】
【補正対象書類名】明細書
【補正対象項目名】００１９
【補正方法】変更
【補正の内容】
【００１９】
本発明の画像表示装置は、第１の軸周りに揺動可能な可動部と、前記第１の軸に交差する第２の軸周りに揺動可能な枠体部と、前記可動部を前記枠体部に対して前記第１の軸周りに揺動可能に支持する第１軸部と、を含む光スキャナーを備える画像形成装置であって、
前記光スキャナーは、
前記可動部に設けられ、かつ光を反射する光反射板を含み、
前記枠体部は、前記可動部を囲んで設けられ、
前記第１軸部は、一端部が前記可動部に接続され、他端部が前記枠体部に接続され、
前記光反射板は、前記第１軸部に対して前記光反射板の板厚方向に離間し、前記板厚方向からみたときに前記第１軸部の少なくとも一部と重なって設けられていることを特徴とする。
このように構成された画像表示装置によれば、小型化を図りつつ、２次元的に光を走査することができる。